(57)【特許請求の範囲】
【請求項１】
交流電源の両端にインダクタとキャパシタを直列に介して接続し、パルス信号がオンすると導通しオフすると非導通となる第１のスイッチと、
前記第１のスイッチの両端に平滑コンデンサを直列に介して接続し、前記パルス信号がオンすると導通しオフすると非導通となる第２のスイッチと、
クロック信号を発生するオシレータと、
前記交流電源の電圧を入力電圧として検出する入力電圧検出部と、
前記インダクタに流れる回路電流を検出する回路電流検出部と、
前記平滑コンデンサの両端の電圧を出力電圧として検出する出力電圧検出部と、
前記出力電圧検出部で検出される出力電圧から所定の基準電圧を減じた出力電圧補正値と前記入力電圧検出部で検出される入力電圧とから、各パルス周期の回路電流ピーク値を決定する電流規定値決定手段と、
前記オシレータから入力されるクロック信号に同期してオンし、前記回路電流検出部で検出される回路電流が前記ピーク値に達するまではオン状態を維持し、前記ピーク値に達するとオフし、その後、次の前記クロック信号に同期して再びオンするパルス信号を、前記入力電圧の極性が正のときには前記第１のスイッチに出力し、前記入力電圧の極性が負のときには前記第２のスイッチに出力するパルス信号出力手段と、
を具備したことを特徴とする電力変換装置。
【請求項２】
前記第１及び第２のスイッチは、ボディダイオードを有する半導体スイッチであることを特徴とする請求項１記載の電力変換装置。
【請求項３】
前記第１及び第２のスイッチに対してそれぞれ並列にダイオードを外付けしたことを特徴とする請求項１または２記載の電力変換装置。
【請求項４】
前記電流規定値決定手段は、前記ピーク値により若干低いオン規定値をさらに決定し、
前記パルス信号出力手段は、前記回路電流検出部で検出される回路電流が前記ピーク値に達した後、前記オン規定値まで下降するとオンし、その後、直前のクロック信号から、該クロック信号の１周期よりも若干短い所定時間が経過するとオフするパルス信号を、前記入力電圧の極性が正のときには前記第２のスイッチに出力し、前記入力電圧の極性が負のときには前記第１のスイッチに出力することを特徴とする請求項２または３記載の電力変換装置。
【請求項５】
前記電流規定値決定手段により決定される前記ピーク値が予め設定された判定値より大きいか否かを判定する判定手段、をさらに具備し、
前記パルス信号出力手段は、前記判定手段により前記ピーク値が前記判定値より大きいと判定されたことを条件に、前記回路電流検出部で検出される回路電流が前記ピーク値に達した後、前記オン規定値まで下降するとオンし、その後、直前のクロック信号から、該クロック信号の１周期よりも若干短い所定時間が経過するとオフするパルス信号を、前記入力電圧の極性が正のときには前記第２のスイッチに出力し、前記入力電圧の極性が負のときには前記第１のスイッチに出力することを特徴とする請求項４記載の電力変換装置。
【請求項６】
前記パルス信号出力手段は、前記回路電流検出部で検出される回路電流が前記ピーク値に達した後、微小な経過時間が経過するとオンし、その後、直前のクロック信号から、該クロック信号の１周期よりも若干短い所定時間が経過するとオフするパルス信号を、前記入力電圧の極性が正のときには前記第２のスイッチに出力し、前記入力電圧の極性が負のときには前記第１のスイッチに出力することを特徴とする請求項２または３記載の電力変換装置。
【請求項７】
前記電流規定値決定手段により決定される前記ピーク値が予め設定された判定値より大きいか否かを判定する判定手段、をさらに具備し、
前記パルス信号出力手段は、前記判定手段により前記ピーク値が前記判定値より大きいと判定されたことを条件に、前記回路電流検出部で検出される回路電流が前記ピーク値に達した後、微小な経過時間が経過するとオンし、その後、直前のクロック信号から、該クロック信号の１周期よりも若干短い所定時間が経過するとオフするパルス信号を、前記入力電圧の極性が正のときには前記第２のスイッチに出力し、前記入力電圧の極性が負のときには前記第１のスイッチに出力することを特徴とする請求項６記載の電力変換装置。
【発明の詳細な説明】
【技術分野】
【０００１】
本発明の実施形態は、交流電源から得られる交流電圧を直流電圧に変換して負荷へ電力を供給する電力変換装置に関する。
【背景技術】
【０００２】
一般的に、交流電圧を直流電圧に変換する方法として、次の２つの方法が知られている。  
第１の方法は、ダイオードブリッジ回路と平滑コンデンサとを用いる。ダイオードブリッジ回路は、交流電源からの交流を全波整流する。平滑コンデンサは、全波整流後の直流を平滑する。
【０００３】
この第１の方法は、交流電圧が正及び負のいずれの場合においても、常に２つのダイオードの直列回路を電流が流れる。このとき、２つのダイオードでは、それぞれダイオードを流れる電流とダイオードの順方向電圧との積に相当する電力損失が発生する。
【０００４】
第２の方法は、第１の方法のダイオードブリッジ回路と平滑コンデンサとの間に力率改善コンバータ（Power Factor Converter：ＰＦＣ）を用いる。力率改善コンバータは、ダイオードブリッジ回路で全波整流された脈流の電圧を昇圧して直流電圧にする。
【０００５】
この第２の方法も、全波整流の際に２つのダイオードの直列回路を電流が流れるため、電力損失が発生する。それに加えて、力率改善コンバータを構成する電界効果トランジスタ（Field Effect Transistor：ＦＥＴ）とダイオードに交互に電流が流れるため、さらなる損失が生じる。
【０００６】
また、力率改善コンバータは、入力電流の波形を正弦波にする必要上、出力電圧を入力電圧よりも高く設定しなければならない。ところが、負荷で必要な電圧は、必ずしも入力電圧より高い電圧であるとは限らない。入力電圧より低い電圧を負荷で必要とする場合には、力率改善コンバータの後段に降圧コンバータを接続する。そして、力率改善コンバータで昇圧された電圧を所望の電圧まで降圧する。この降圧の際にも損失が発生する。このため、電力変換装置全体としては、AC-DC変換とDC-DC（昇圧）変換とDC-DC（降圧）変換の３段の構成になり電力損失はこれらの積となって現れる。例えば、一段あたりの効率０．９５とした場合、３段では［０．９５×０．９５×０．９５＝０．８６］、つまり、効率９５％の優れた変換であっても３段接続では８６％まで落ちてしまう。このように、個々の変換効率は良くても多段にすることで変換効率は著しく低下する。
【先行技術文献】
【特許文献】
【０００７】
【特許文献１】特開２００７−１１０８６９号公報
【特許文献２】特開２００８−２９５２４８号公報
【発明の概要】
【発明が解決しようとする課題】
【０００８】
昨今、巷では電子機器の省エネルギー化が叫ばれており、その一環として、負荷へ電力を供給する電力変換装置の変換効率向上が求められている。しかしながら、従来の回路構成では、変換効率の改善に限界がある。
【０００９】
本発明の実施形態において、解決しようとする課題は、変換効率に優れた電力変換装置を提供することにある。
【課題を解決するための手段】
【００１０】
一実施形態によれば、電力変換装置は、第１のスイッチと、第２のスイッチと、オシレータと、入力電圧検出部と、回路電流検出部と、出力電圧検出部と、電流規定値決定手段と、パルス信号出力手段とを備える。第１のスイッチは、交流電源の両端にインダクタとキャパシタを直列に介して接続し、パルス信号がオンすると導通しオフすると非導通となる。第２のスイッチは、第１のスイッチの両端に平滑コンデンサを直列に介して接続し、パルス信号がオンすると導通しオフすると非導通となる。オシレータは、クロック信号を発生する。入力電圧検出部は、交流電源の電圧を入力電圧として検出する。回路電流検出部は、インダクタに流れる回路電流を検出する。出力電圧検出部は、平滑コンデンサの両端の電圧を出力電圧として検出する。電流規定値決定手段は、出力電圧検出部で検出される出力電圧から所定の基準電圧を減じた出力電圧補正値と入力電圧検出部で検出される入力電圧とから、各パルス周期の回路電流ピーク値を決定する。パルス信号出力手段は、オシレータから入力されるクロック信号に同期してオンし、回路電流検出部で検出される回路電流が前記ピーク値に達するまではオン状態を維持し、ピーク値に達するとオフし、その後、次の前記クロック信号に同期して再びオンするパルス信号を、入力電圧の極性が正のときには第１のスイッチに出力し、入力電圧の極性が負のときには第２のスイッチに出力する。
【図面の簡単な説明】
【００１１】
【図１】電力変換装置の基本構成を示す回路図。
【図２】第１の実施形態において、入力電圧Ｖin及び回路電流Ｉと、第１及び第２のパルス信号Ｐ１，Ｐ２との関係を示すタイミング図。
【図３】第１の実施形態において、コントローラの制御手順を示す流れ図。
【図４】第１の実施形態において、入力電圧Ｖinの極性が正のときの回路電流Ｉと、クロック信号ＣＬＫと、第１のパルス信号Ｐ１と、第１の半導体スイッチＱ１を流れる電流と、第２の外付けダイオードＤ２を流れる電流とを示すタイミング図。
【図５】第２の実施形態において、入力電圧Ｖin及び回路電流Ｉと、第１及び第２のパルス信号Ｐ１，Ｐ２との関係を示すタイミング図。
【図６】第２の実施形態において、サブパルス信号の生成方法を示す模式図。
【図７】第２の実施形態において、コントローラの制御手順前半部を示す流れ図。
【図８】第２の実施形態において、コントローラの制御手順後半部を示す流れ図。
【図９】第２の実施形態において、入力電圧Ｖinの極性が正のときの回路電流Ｉと、クロック信号ＣＬＫと、第１のパルス信号Ｐ１と、第２のパルス信号Ｐ２と、第１の半導体スイッチＱ１を流れる電流と、第２の外付けダイオードＤ２を流れる電流と、第２の半導体スイッチＱ２を流れる電流とを示すタイミング図。
【図１０】第３の実施形態において、サブパルス信号の生成方法を示す模式図。
【図１１】第３の実施形態において、コントローラの制御手順後半部を示す流れ図。
【図１２】第４の実施形態において、入力電圧Ｖin及び回路電流Ｉと、第１及び第２のパルス信号Ｐ１，Ｐ２との関係を示すタイミング図。
【図１３】第４の実施形態において、コントローラの制御手順後半部を示す流れ図。
【図１４】第４の実施形態において、入力電圧Ｖinの極性が正のときの回路電流Ｉと、クロック信号ＣＬＫと、第１のパルス信号Ｐ１と、第２のパルス信号Ｐ２と、第１の半導体スイッチＱ１を流れる電流と、第２の外付けダイオードＤ２を流れる電流と、第２の半導体スイッチＱ２を流れる電流とを示すタイミング図。
【図１５】１００Ｖの交流電源と２００Ｖの交流電源を印加した場合の始動時の電圧変化を示す波形図。
【図１６】電力変換装置の基本構成の変形例を示す回路図。
【図１７】電力変換装置の基本構成のさらに別の変形例を示す回路図。
【発明を実施するための形態】
【００１２】
以下、電力変換装置の実施形態を、図面を用いて説明する。なお、この実施形態は、交流電源として１００Ｖの商用電源（５０Ｈｚ／６０Ｈｚ）を入力とし、所望の直流電圧に変換して負荷へ電力を供給する電力変換装置に適用した場合である。
【００１３】
［第１の実施形態］
はじめに、第１の実施形態を、図１〜図４を用いて説明する。図１は、第１の実施形態の電力変換装置１００を示す回路図である。
【００１４】
電力変換装置１００は、交流電源１０１の両端に、インダクタＬ１とキャパシタＣ１を直列に介して、第１の半導体スイッチＱ１を接続する。第１の半導体スイッチＱ１は、Ｎ型チャネルのＭＯＳ型ＦＥＴを使用する。具体的には、交流電源１０１の一端にインダクタＬ１を介してキャパシタＣ１の一端を接続し、キャパシタＣ１の他端に第１の半導体スイッチＱ１であるＭＯＳ型ＦＥＴのドレイン端子を接続し、当該ＭＯＳ型ＦＥＴのソース端子を交流電源１０１の他端に接続する。
【００１５】
電力変換装置１００は、第１の半導体スイッチＱ１の両端に、平滑コンデンサＣ２を直列に介して、第２の半導体スイッチＱ２を接続する。第２の半導体スイッチＱ２は、Ｎ型チャネルのＭＯＳ型ＦＥＴを使用する。具体的には、第２の半導体スイッチＱ２であるＭＯＳ型ＦＥＴのソース端子をキャパシタＣ１と第１の半導体スイッチＱ１との接続点に接続し、当該ＭＯＳ型ＦＥＴＱ２のドレイン端子を平滑コンデンサＣ２の正極端子に接続し、平滑コンデンサＣ２の負極端子を交流電源１０１と第１の半導体スイッチＱ１との接続点に接続する。
【００１６】
電力変換装置１００は、第１の半導体スイッチＱ１に対して並列に第１の外付けダイオードＤ１を接続し、第２の半導体スイッチＱ２に対して並列に第２の外付けダイオードＤ２を接続する。具体的には、第１の半導体スイッチＱ１と交流電源１０１との接続点に、第１の外付けダイオードＤ１のアノードを接続し、第１の半導体スイッチＱ１とキャパシタＣ１との接続点に、第１の外付けダイオードＤ１のカソードを接続する。また、第２の半導体スイッチＱ２とキャパシタＣ１との接続点に、第２の外付けダイオードＤ２のアノードを接続し、第２の半導体スイッチＱ２と平滑コンデンサＣ２との接続点に、第２の外付けダイオードＤ２のカソードを接続する。第１の外付けダイオードＤ１は、第１の半導体スイッチＱ１が有するボディダイオードより順方向電圧が低い。同じく、第２の外付けダイオードＤ２は、第２の半導体スイッチＱ２が有するボディダイオードより順方向電圧が低い。
【００１７】
電力変換装置１００は、平滑コンデンサＣ２の両端を出力端子１０２、１０３とする。そして、これらの出力端子１０２，１０３間に、所望の負荷１０４を接続する。
【００１８】
電力変換装置１００は、交流電源１０１の両端に入力電圧検出部１０５を接続する。入力電圧検出部１０５は、交流電源１０１の両端に発生する入力電圧Ｖinを検出する。そして、その検出信号をコントローラ１１０に出力する。
【００１９】
電力変換装置１００は、第１の半導体スイッチＱ１と第１の外付けダイオードＤ１との接続点と交流電源１０１との間に回路電流検出部１０６を接続する。回路電流検出部１０６は、インダクタＬ１等に流れる回路電流Ｉを検出し、その検出信号をコントローラ１１０に出力する。
【００２０】
電力変換装置１００は、出力端子１０２，１０３間に出力電圧検出部１０７を接続する。出力電圧検出部１０７は、平滑コンデンサＣ２の両端である出力端子１０２，１０３間の電圧Ｖoutを検出する。そして、その検出信号をコントローラ１１０に出力する。
【００２１】
コントローラ１１０は、オシレータ１０８から発生するクロック信号ＣＬＫを入力する。また、コントローラ１１０は、前記入力電圧検出部１０５で検出される入力電圧Ｖinと、前記回路電流検出部１０６で検出される回路電流Ｉと、出力電圧検出部１０７で検出される出力端子１０２，１０３間の電圧Ｖoutとを入力する。さらに、コントローラ１１０は、出力電圧Ｖoutと比較するための基準電圧（リファレンス電圧）Ｖrefを入力する。コントローラ１１０は、出力電圧Ｖoutが上記基準電圧Ｖrefより高いか低いかを判定する。
【００２２】
コントローラ１１０は、入力電圧Ｖinと、回路電流Ｉと、出力電圧Ｖoutとに基いて、第１のパルス信号Ｐ１と第２のパルス信号Ｐ２とを生成する。コントローラ１１０は、第１のパルス信号Ｐ１を第１の半導体スイッチＱ１に供給し、第２のパルス信号Ｐ２を第２の半導体スイッチＱ２に供給する。
【００２３】
第１の半導体スイッチＱ１は、第１のパルス信号Ｐ１が供給されている間、導通する。第２の半導体スイッチＱ２は、第２のパルス信号Ｐ２が供給されている間、導通する。
【００２４】
図２は、入力電圧Ｖin及び回路電流Ｉと、第１及び第２のパルス信号Ｐ１，Ｐ２との関係を示す波形図である。図２において、区間Ｔ１〜Ｔ２は、交流電圧Ｖａの極性が正の区間である。この区間のとき、コントローラ１１０は、交流電圧Ｖａの周期よりはるかに高い周波数で第１のパルス信号Ｐ１を生成する。図２において、区間Ｔ２〜Ｔ３は、交流電圧Ｖａの極性が負の区間である。この区間のとき、コントローラ１１０は、交流電圧Ｖａの周期よりはるかに高い周波数で第２のパルス信号Ｐ２を生成する。
【００２５】
すなわち、交流電圧Ｖａの極性が正のとき、第１の半導体スイッチＱ１が導通・非導通を繰り返す。交流電圧Ｖａの極性が負のとき、第２の半導体スイッチＱ２が導通・非導通を繰り返す。その結果、インダクタＬ１を流れる回路電流Ｉは、入力電圧Ｖinと相似形の正弦波となる。
【００２６】
図３は、コントローラ１１０の制御手順を示す流れ図である。交流電源が供給され、コントローラ１１０が立ち上がると、コントローラ１１０は、オシレータ１０８が発振する所定周波数のクロック信号ＣＬＫを取込む。また、コントローラ１１０は、出力電圧検出部１０７で検出される出力電圧Ｖoutを周期的に取込む。そして、その都度、この出力電圧Ｖoutから基準電圧Ｖrefを減じた出力電圧補正値（出力電圧Ｖout−基準電圧Ｖref）を算出し、この出力電圧補正値を低周波積分する。
【００２７】
負荷１０４への電力供給開始（パルス出力周期の開始）のタイミングになると、コントローラ１１０は、出力電圧Ｖoutが基準電圧Ｖrefに近づくように、帰還係数（フィードバック係数）Ｋ１を決定する。帰還係数Ｋ１は、出力電圧Ｖoutを基準電圧Ｖrefに近づけるため、出力電圧Ｖoutが基準電圧Ｖrefより低い場合には“１”以上の値をとり、出力電圧Ｖoutが基準電圧Ｖrefより高い場合には“１”未満の値をとる。また、帰還係数Ｋ１は、出力電圧Ｖoutと基準電圧Ｖrefとの出力電圧補正値が大きいときには大きい値をとり、出力電圧補正値が小さいときには小さい値をとる。ただし、回路系統に急峻な帰還制御がかからないようにするため、低周波積分をした出力電圧補正値の値から帰還係数Ｋ１を決定する。つまり帰還係数Ｋ１は、出力電圧Ｖoutの変動に伴い、緩やかに変動した値となる。
【００２８】
具体的には、コントローラ１１０は、ステップＳＴ１として現時点における上記出力電圧補正値の低周波積分値を、第１の帰還係数Ｋ１として決定する。そして、この第１の帰還係数Ｋ１をコントローラ１１０内のメモリで記憶する。
【００２９】
次に、コントローラ１１０は、ステップＳＴ２として入力電圧検出部１０５が現時点で検出した入力電圧、つまりは入力電圧瞬時値Ｖinを取込む。そして、ステップＳＴ３としてこの入力電圧瞬時値Ｖinの極性を判定し、その極性を表わすフラグ情報を上記メモリで記憶する。例えば、極性が正であれば“１”の状態のフラグ情報を記憶し、極性が負であれば“０”の状態のフラグ情報を記憶する。さらに、コントローラ１１０は、ステップＳＴ４としてこの入力電圧瞬時値Ｖinから極性を除いた入力電圧絶対値を求め、上記メモリで記憶する。なお、ステップＳＴ３として入力電圧絶対値を求めて記憶し、ステップＳＴ４として入力電圧の極性を判定してフラグ情報を記憶してもよい。
【００３０】
次に、コントローラ１１０は、ステップＳＴ５としてメモリに記憶した入力電圧絶対値に前記第１の帰還係数Ｋ１を乗算して、最大電流規定値（PeakＨ）を算出する（電流規定値決定手段）。
【００３１】
次に、コントローラ１１０は、ステップＳＴ６として前記フラグ情報の状態から入力電圧Ｖinの極性が正であるか負であるかを判定する。前記フラグ情報が“１”、すなわち入力電圧Ｖinの極性が正である場合には（ＳＴ６のＹＥＳ）、コントローラ１１０は、ステップＳＴ７として前記クロック信号ＣＬＫの立ち上がりに同期して第１のパルス信号Ｐ１をオンする。前記フラグ情報が“０”、すなわち入力電圧Ｖinの極性が負である場合には（ＳＴ６のＮＯ）、コントローラ１１０は、ステップＳＴ８として前記クロック信号ＣＬＫの立ち上がりに同期して第２のパルス信号Ｐ２をオンする（パルス信号出力手段）。
【００３２】
次に、コントローラ１１０は、ステップＳＴ９として電流検出部１０６が現時点で検出した回路電流、つまりは回路電流瞬時値Ｉを取込む。そして、ステップＳＴ１０としてこの回路電流瞬時値Ｉから極性を除いた回路電流絶対値を求め、上記メモリで記憶する。
【００３３】
次に、コントローラ１１０は、ステップＳＴ１１としてメモリで記憶した回路電流絶対値が前記最大電流規定値（PeakＨ）に達したか否かを判定する。回路電流絶対値が最大電流規定値（PeakＨ）に達していない場合（ＳＴ１１のＮＯ）、コントローラ１１０は、再度、回路電流瞬時値Ｉを取込み（ＳＴ９）、この回路電流瞬時値Ｉから極性を除いた回路電流絶対値を求めて、メモリに上書き記憶する（ＳＴ１０）。
【００３４】
こうして、コントローラ１１０は、回路電流絶対値が最大電流規定値（PeakＨ）に達するまで、ステップＳＴ９及びＳＴ１０の処理を繰り返し実行する。回路電流絶対値が最大電流規定値（PeakＨ）に達したならば（ＳＴ１１のＹＥＳ）、コントローラ１１０は、ステップＳＴ１２として前記フラグ情報から入力電圧Ｖinの極性を再度判定する。そして、入力電圧Ｖinの極性が正である場合（ＳＴ１２のＹＥＳ）、コントローラ１１０は、ステップＳＴ１３として前記第１のパルス信号Ｐ１をオフする。これに対し、入力電圧Ｖinの極性が負である場合（ＳＴ１２のＮＯ）、コントローラ１１０は、ステップＳＴ１４として前記第２のパルス信号Ｐ２をオフする。
【００３５】
第１のパルス信号Ｐ１または第２のパルス信号Ｐ２をオフすると、次の１周期に移行するべく、コントローラ１１０は、この制御手順の最初の処理ステップＳＴ１に戻る。すなわち、現時点における出力電圧補正値の低周波積分値から第１の帰還係数Ｋ１を決定する。以後、負荷１０４への電力供給が終了するまで、コントローラ１１０は、ステップＳＴ１〜ＳＴ１４の各処理手順を繰り返す。
【００３６】
このような制御手順を実行するコントローラ１１０は、ソフトウェアによって構成してもよいし、ハードウェアによって構成してもよい。
【００３７】
かかる構成の電力変換装置１００においては、入力電圧Ｖinの極性が正のときには、クロック信号ＣＬＫに同期して、コントローラ１１０から第１の半導体スイッチＱ１に対して第１のパルス信号Ｐ１が供給される。第１のパルス信号Ｐ１は、回路電流Ｉが最大電流規定値（PeakＨ）まで上昇するとオフし、次のクロック信号ＣＬＫが入力されると、オンする。すなわち、クロック信号ＣＬＫが発生してから回路電流Ｉが最大電流規定値（PeakＨ）に達するまで、第１のパルス信号Ｐ１はオンする。そして、最大電流規定値（PeakＨ）に達してから次のクロック信号が発生するまで、第１のパルス信号Ｐ１はオフする。
【００３８】
図４は、入力電圧Ｖinの極性が正のときの回路電流Ｉと、クロック信号ＣＬＫと、第１のパルス信号Ｐ１と、第１の半導体スイッチＱ１を流れる電流と、第２の外付けダイオードＤ２を流れる電流とを示している。なお、電力変換装置１００は、その一態様として、交流電源１０１の周波数を５０Ｈｚとし、第１及び第２の半導体スイッチＱ１，Ｑ２のスイチッング周波数を１００ｋＨｚとする。ただし、図で１００ｋＨｚの動作を表現しようとすると細かくなりすぎるので、便宜上、非常に粗い周期で記載している。
【００３９】
図４に示すように、回路電流Ｉに対する最大電流規定値（PeakＨ）のエンベロープ曲線Ｐｅは、入力電圧Ｖｉｎの波形と相似形の正弦波状になる。そして、第１のパルス信号Ｐ１は、クロック信号ＣＬＫに同期してオンする（時点Ｔ１１，Ｔ１３，Ｔ１５，Ｔ１７，Ｔ１９，Ｔ２１，Ｔ２３，Ｔ２５を参照）。そして、回路電流Ｉが最大電流規定値（PeakＨ）に達するまで、第１のパルス信号Ｐ１は、オン状態を維持する。
【００４０】
回路電流Ｉが最大電流規定値（PeakＨ）に達すると（時点Ｔ１２，Ｔ１４，Ｔ１６，Ｔ１８，Ｔ２０，Ｔ２２，Ｔ２４を参照）、第１のパルス信号Ｐ１はオフする。その後、次のクロック信号が発生すると（時点Ｔ１３，Ｔ１５，Ｔ１７，Ｔ１９，Ｔ２１，Ｔ２３，Ｔ２５を参照）、第１のパルス信号Ｐ１は、再びオンする。以後、入力電圧Ｖinの極性が負となるまで、第１のパルス信号Ｐ１は、上述したオン・オフの動作を繰り返す。
【００４１】
第１のパルス信号Ｐ１がオンすると、第１の半導体スイッチＱ１が導通する。第１の半導体スイッチＱ１が導通すると、交流電源１０１、インダクタＬ１、キャパシタＣ１及び第１の半導体スイッチＱ１の閉回路が形成される。その結果、インダクタＬ１の線形リアクトル作用により、右上がりの直線的な電流が、キャパシタＣ１側から第１の半導体スイッチＱ１に流れる（区間Ｔ１１−Ｔ１２、Ｔ１３−Ｔ１４、Ｔ１５−Ｔ１６、Ｔ１７−Ｔ１８、Ｔ１９−Ｔ２０、Ｔ２１−Ｔ２２、Ｔ２３−Ｔ２４を参照）。
【００４２】
第１のパルス信号Ｐ１がオフすると、第１の半導体スイッチＱ１が非導通になる。第１の半導体スイッチＱ１が非導通になると、第１の半導体スイッチＱ１を流れる電流はゼロとなる。このとき、インダクタＬ１は、リアクトルエネルギーにより引き続き電流を同方向に流し続けるようとする。このため、第２の半導体スイッチＱ２に並列接続された第２の外付けダイオードＤ２を経由して平滑コンデンサＣ２に電流が流れ込む（区間Ｔ１２−Ｔ１３、Ｔ１４−Ｔ１５、Ｔ１６−Ｔ１７、Ｔ１８−Ｔ１９、Ｔ２０−Ｔ２１、Ｔ２２−Ｔ２３、Ｔ２４−Ｔ２５を参照）。
【００４３】
第１のパルス信号Ｐ１がオン，オフをする毎に、電力変換装置１００は上述した動作を繰り返す。その結果、電力変換装置１００は、出力端子１０２，１０３間の出力電圧Ｖoutを昇圧しながら、平滑コンデンサＣ２を充電する。
【００４４】
一方、入力電圧Ｖinの極性が負のときには、クロック信号ＣＬＫに同期して、コントローラ１１０から第２の半導体スイッチＱ２に対して第２のパルス信号Ｐ２が供給される。第２のパルス信号Ｐ２は、回路電流Ｉが最大電流規定値（PeakＨ）に達するまでオン状態を維持し、最大電流規定値（PeakＨ）に達するとオフする。そして、その後、次のクロック信号ＣＬＫが入力されると、第２のパルス信号Ｐ２は、再びオンする。以後、入力電圧Ｖinの極性が正となるまで、第２のパルス信号Ｐ２は、上述したオン・オフの動作を繰り返す。
【００４５】
第２のパルス信号Ｐ２がオンすると、第２の半導体スイッチＱ２が導通する。第２の半導体スイッチＱ２が導通すると、交流電源１０１、インダクタＬ１、キャパシタＣ１、第２の半導体スイッチＱ２及び平滑コンデンサＣ２の閉回路が形成される。このとき、平滑コンデンサＣ２の電圧は、交流電圧Ｖａより高い。その結果、平滑コンデンサＣ２の充電電圧が第２の半導体スイッチＱ２及びインダクタＬ１を経由して交流電源１０１側に戻るように、電力変換装置１００は動作する。このため、右上がりの直線的な電流が、平滑コンデンサＣ２側から第２の半導体スイッチＱ２に流れる。
【００４６】
第２のパルス信号Ｐ２がオフすると、第２の半導体スイッチＱ２が非導通になる。第２の半導体スイッチＱ２が非導通になると、第２の半導体スイッチＱ２を流れる電流はゼロとなる。このとき、インダクタＬ１は、リアクトルエネルギーにより引き続き電流を同方向に流し続けようとする。このため、第１の半導体スイッチＱ１に並列接続された第１の外付けダイオードＤ１を経由してキャパシタＣ１に電流が流れ込む。
【００４７】
第２のパルス信号Ｐ２がオン，オフをする毎に、電力変換装置１００は上述した動作を繰り返す。その結果、電力変換装置１００は、キャパシタＣ１に電荷を補充する。
【００４８】
交流電圧Ｖａの極性は、正と負を交互に繰り返す。したがって、電力変換装置１００は、平滑コンデンサＣ２を充電する作用とキャパシタＣ１に電荷を補充する作用とを交互に繰り返す。すなわち電力変換装置１００は、キャパシタＣ１に電荷を補充した後に平滑コンデンサＣ２を充電する。したがって、平滑コンデンサＣ２を充電する際にはキャパシタＣ１に蓄えられた電荷が平滑コンデンサＣ２に移動する。
【００４９】
図１に示した電力変換装置１００の回路は、第１及び第２の半導体スイッチＱ１，Ｑ２がスイッチング動作しないと、倍電圧回路として動作する。つまり、入力電圧が例えば交流１００Ｖの場合は、略２００Ｖの直流電圧が出力端子１０２，１０３間に生じる。
【００５０】
前述したように第１及び第２の半導体スイッチＱ１，Ｑ２がスイッチング動作すると、キャパシタＣ１に蓄えられた電荷が平滑コンデンサＣ２に移動する。このため、電力変換装置１００の昇圧効果が加算される。その結果、電力変換装置１００は、入力電圧である交流電圧Ｖａを、その倍電圧よりもさらに高い電圧に昇圧して、基準電圧Ｖrefと略等しい直流の出力電圧Ｖoutを得ることができる。
【００５１】
このように、第１の実施形態によれば、電力変換装置１００は、全波整流を行うことなく、交流電源１０１から得られる交流電圧を直流電圧に変換して負荷１０４へ電力を供給することができる。したがって、全波整流のためのダイオードブリッジ回路が不要となるため、回路部品点数を削減でき、コストの低減を図ることができる。また、ダイオードブリッジ回路で発生していたダイオードの順方向電圧による損失がなくなるので、電力変換装置１００は、高効率の電力変換が可能となる。
【００５２】
その上、電力変換装置１００は、入力電流波形を入力電圧波形と相似形となるように制御している。このため、入力電流は正弦波となる。したがって、入力電流の高調波を抑制でき、ノイズの少ない電力変換を実現できる。入力電流の高調波を抑制するためには、一般には、力率改善コンバータ（ＰＦＣ）を別途設ける必要がある。しかし、電力変換装置１００は、力率改善コンバータを設ける必要がない。すなわち電力変換装置１００は、全波整流の機能と力率改善コンバータの機能とを１つの回路で実現しているので、より一層変換効率を高めることができる。
【００５３】
しかも、図４から明らかなように、インダクタＬ１等に流れる回路電流Ｉは、平均値とピーク値との差が小さい。インダクタＬ１、コンデンサＣ１、半導体スイッチＱ１，Ｑ２等の回路部品の定格は、回路電流のピーク値によって決まる。したがって、回路電流の平均値に対してピーク値がかけ離れていた場合、回路部品のコストアップにつながる。これに対して、電力変換装置１００は、回路電流平均値とピーク値との差を小さくできるので、インダクタＬ１の磁気飽和定格、コンデンサＣ１のリップル電流定格、第１及び第２の半導体スイッチＱ１，Ｑ２の最大電流定格等に余裕を持たせることができる。その結果、電力変換装置１００は、低コスト化を図ることができる。
【００５４】
さらに、電力変換装置１００は、第１のパルス信号Ｐ１と第２のパルス信号Ｐ２の出力タイミングをクロック信号ＣＬＫに同期させている。したがって、第１のパルス信号Ｐ１と第２のパルス信号Ｐ２の周波数が固定である。仮に、これらのパルス信号Ｓ１，Ｓ２の周波数が可変であると、入力電圧がゼロクロスの近辺で高周波化が起こり得る。電力変換装置１００は、第１のパルス信号Ｐ１と第２のパルス信号Ｐ２の周波数が固定なので、上述したような無用な高周波化を防ぐことができる。よって、電力変換装置１００は、駆動のための電力を軽減できる効果も奏する。
【００５５】
［第２の実施形態］
次に、第２の実施形態を、図５〜図９を用いて説明する。なお、第２の実施形態における電力変換装置２００の回路構成は、第１の実施形態と同様なので図１を代用し、共通部分には同一符号を付してその詳しい説明を省略する。
【００５６】
図５は、電力変換装置２００において、入力電圧Ｖin及び回路電流Ｉと、第１及び第２のパルス信号Ｐ１，Ｐ２との関係を示す波形図である。図５において、区間Ｔ１〜Ｔ２は、交流電圧Ｖａの極性が正の区間である。この区間のとき、コントローラ１１０は、交流電圧Ｖａの周期よりはるかに高い周波数で第１のパルス信号Ｐ１を生成する。本実施形態では、このときの第１のパルス信号Ｐ１を、第１の半導体スイッチＱ１に対するメインパルス信号ＭＰと称する。また、この区間のとき、コントローラ１１０は、第１のパルス信号Ｐ１がオフする毎に第２のパルス信号Ｐ２を生成する。本実施形態では、このときの第２のパルス信号Ｐ２を、第２の半導体スイッチＱ２に対するサブパルス信号ＳＰと称する。
【００５７】
図５において、区間Ｔ２〜Ｔ３は、交流電圧Ｖａの極性が負の区間である。この区間のとき、コントローラ１１０は、交流電圧Ｖａの周期よりはるかに高い周波数で第２のパルス信号Ｐ２を生成する。本実施形態では、このときの第２のパルス信号Ｐ２を、第２の半導体スイッチＱ２に対するメインパルス信号ＭＰと称する。また、この区間のとき、コントローラ１１０は、第２のパルス信号Ｐ２がオフする毎に第１のパルス信号Ｐ１を生成する。本実施形態では、このときの第１のパルス信号Ｐ１を、第１の半導体スイッチＱ１に対するサブパルス信号ＳＰと称する。
【００５８】
すなわち、本実施形態においても、交流電圧Ｖａの極性が正のとき、第１の半導体スイッチＱ１が導通・非導通を繰り返す。交流電圧Ｖａの極性が負のとき、第２の半導体スイッチＱ２が導通・非導通を繰り返す。その結果、インダクタＬ１を流れる回路電流Ｉは、入力電圧Ｖinと相似形の正弦波となる。
【００５９】
ここで、サブパルス信号ＳＰの生成方法を、図６を用いて説明する。図６は、入力電圧Ｖinの極性が正のときの最大電流規定値（PeakＨ）のエンベロープ曲線Ｐｅと、回路電流Ｉと、クロック信号ＣＬＫと、メインパルス信号としての第１のパルス信号Ｐ１（ＭＰ）と、サブパルス信号としての第２のパルス信号Ｐ２（ＳＰ）とのごく一部を示している。
【００６０】
第１のパルス信号Ｐ１（ＭＰ）は、時点Ｔ３１に示すように、クロック信号ＣＬＫに同期してオンし、時点Ｔ３２に示すように、回路電流Ｉが最大電流規定値（PeakＨ）に達するとオフする。第２のパルス信号Ｐ２（ＳＰ）は、時点Ｔ３３に示すように、回路電流Ｉが最大電流規定値（PeakＨ）よりも若干低いサブパルスオン規定値（PeakＭ）に達するとオンし、時点Ｔ３４に示すように、直前のクロック信号ＣＬＫからｄｔ１時間を経過するとオフする。ｄｔ１時間は、クロック信号ＣＬＫの１周期よりも若干短い時間である。
【００６１】
すなわち、サブパルス信号ＳＰは、回路電流Ｉが最大電流規定値（PeakＨ）よりも若干低いサブパルスオン規定値（PeakＭ）に達するとオンし、直前のクロック信号ＣＬＫから該クロック信号ＣＬＫの１周期よりも若干短いｄｔ１時間を経過するとオフするように生成する。
【００６２】
こうすることにより、第１のパルス信号Ｐ１（ＭＰ）の立下りと第２のパルス信号Ｐ２（ＳＰ）の立ち上がりとの間に、微小の遅延時間（Ｔ３２−Ｔ３３）が生成される。また、第２のパルス信号Ｐ２（ＳＰ）の立下りと第１のパルス信号Ｐ１（ＭＰ）の立ち上がりとの間に、微小の遅延時間（Ｔ３４−Ｔ３５）が生成される。したがって、第１のパルス信号Ｐ１（ＭＰ）と第２のパルス信号Ｐ２（ＳＰ）とが同時にオンすることはない。仮に、第１のパルス信号Ｐ１（ＭＰ）と第２のパルス信号Ｐ２（ＳＰ）とが同時にオンすると、第１の半導体スイッチＱ１と第２の半導体スイッチＱ２とに貫通電流が流れ、平滑コンデンサＣ２がショート状態となる。上記遅延時間は、このショート状態となることを防ぐための措置である。
【００６３】
一方、入力電圧Ｖinの極性が負のときも同様であり、第２のパルス信号Ｐ２（ＭＰ）は、クロック信号ＣＬＫに同期してオンし、回路電流Ｉが最大電流規定値（PeakＨ）に達するとオフする。第１のパルス信号Ｐ１（ＳＰ）は、回路電流Ｉが最大電流規定値（PeakＨ）よりも若干低いサブパルスオン規定値（PeakＭ）に達するとオンし、直前のクロック信号ＣＬＫから前記ｄｔ１時間を経過するとオフする。この場合も、第２のパルス信号Ｐ２（ＭＰ）と第１のパルス信号Ｐ１（ＳＰ）とが同時にオンすることはない。
【００６４】
図７及び図８は、コントローラ１１０の制御手順を示す流れ図である。なお、コントローラ１１０が、出力電圧検出部１０７で検出される出力電圧Ｖoutから基準電圧Ｖrefを減じた出力電圧補正値（出力電圧Ｖout−基準電圧Ｖref）を周期的に算出し、この出力電圧補正値を低周波積分している点は、第１の実施形態と同様である。
【００６５】
負荷１０４への電力供給開始（パルス出力周期の開始）のタイミングになると、コントローラ１１０は、ステップＳＴ２１として現時点における上記出力電圧補正値の低周波積分値を、第１の帰還係数Ｋ１として決定する。また、この第１の帰還係数Ｋ１に一定の比率ａ（但し、１＞ａ＞０）を乗算した値を、第２の帰還係数Ｋ２として決定する。そして、第１及び第２の帰還係数Ｋ１，Ｋ２（Ｋ１＞Ｋ２）をコントローラ１１０内のメモリで記憶する。
【００６６】
次に、コントローラ１１０は、第１の実施形態のステップＳＴ２〜ＳＴ４と同様に、ステップＳＴ２２として入力電圧瞬時値Ｖinを取込み、ステップＳＴ２３としてこの入力電圧瞬時値Ｖinの極性を判定する。そして、その極性を表わすフラグ情報を上記メモリで記憶するとともに、ステップＳＴ２４として入力電圧絶対値を上記メモリで記憶する。
【００６７】
次に、コントローラ１１０は、ステップＳＴ２５としてメモリに記憶した入力電圧絶対値に前記第１の帰還係数Ｋ１を乗算して、最大電流規定値（PeakＨ）を算出する。同様に、入力電圧絶対値に前記第２の帰還係数Ｋ２を乗算して、サブパルスオン規定値（PeakＭ）を算出する（電流規定値決定手段）。
【００６８】
次に、コントローラ１１０は、第１の実施形態のステップＳＴ６〜ＳＴ８と同様に、ステップＳＴ２６として入力電圧Ｖinの極性が正であるか負であるかを判定する。そして、入力電圧Ｖinの極性が正である場合には（ＳＴ２６のＹＥＳ）、コントローラ１１０は、ステップＳＴ２７としてクロック信号ＣＬＫの立ち上がりに同期して第１のパルス信号Ｐ１（ＭＰ）をオンする。入力電圧Ｖinの極性が負である場合には（ＳＴ２６のＮＯ）、コントローラ１１０は、ステップＳＴ２８としてクロック信号ＣＬＫの立ち上がりに同期して第２のパルス信号Ｐ２（ＭＰ）をオンする（パルス信号出力手段）。
【００６９】
メインパルス信号ＭＰとしての第１のパルス信号Ｐ１（ＭＰ）または第２のパルス信号Ｐ２（ＭＰ）がオンすると、コントローラ１１０は、ステップＳＴ２９として内蔵の第１タイマＴ１による計時動作をスタートさせる。
【００７０】
次に、コントローラ１１０は、第１の実施形態のステップＳＴ９〜ＳＴ１４と同様に、ステップＳＴ３０として回路電流瞬時値Ｉを取込む。そして、ステップＳＴ３１としてこの回路電流瞬時値Ｉから極性を除いた回路電流絶対値を求め、上記メモリで記憶する。
【００７１】
次に、コントローラ１１０は、ステップＳＴ３２として回路電流絶対値が前記最大電流規定値（PeakＨ）に達したか否かを判定する。回路電流絶対値が最大電流規定値（PeakＨ）に達していない場合（ＳＴ３２のＮＯ）、コントローラ１１０は、再度、回路電流瞬時値Ｉを取込み（ＳＴ３０）、この回路電流瞬時値Ｉから極性を除いた回路電流絶対値を求めて、メモリに上書き記憶する（ＳＴ３１）。
【００７２】
こうして、コントローラ１１０は、回路電流絶対値が最大電流規定値（PeakＨ）に達するまで、ステップＳＴ３０及びＳＴ３１の処理を繰り返し実行する。回路電流絶対値が最大電流規定値（PeakＨ）に達したならば（ＳＴ３２のＹＥＳ）、コントローラ１１０は、ステップＳＴ３３として前記フラグ情報から入力電圧Ｖinの極性を再度判定する。そして、入力電圧Ｖinの極性が正である場合（ＳＴ３３のＹＥＳ）、コントローラ１１０は、ステップＳＴ３４として前記第１のパルス信号Ｐ１（ＭＰ）をオフする。これに対し、入力電圧Ｖinの極性が負である場合（ＳＴ３３のＮＯ）、コントローラ１１０は、ステップＳＴ３５として前記第２のパルス信号Ｐ２（ＭＰ）をオフする。
【００７３】
メインパルス信号としての第１のパルス信号Ｐ１（ＭＰ）または第２のパルス信号Ｐ２（ＭＰ）がオフすると、次に、コントローラ１１０は、ステップＳＴ３６として再びその時点の回路電流瞬時値Ｉを取込む。そして、ステップＳＴ３７としてこの回路電流瞬時値Ｉから極性を除いた回路電流絶対値を求め、上記メモリで記憶する。
【００７４】
次に、コントローラ１１０は、ステップＳＴ３８としてメモリで記憶した回路電流絶対値が前記サブパルスオン規定値（PeakＭ）に達したか否かを判定する。回路電流絶対値が前記サブパルスオン規定値（PeakＭ）に達していない場合（ＳＴ３８のＮＯ）、コントローラ１１０は、再度、回路電流瞬時値Ｉを取込み（ＳＴ３６）、この回路電流瞬時値Ｉから極性を除いた回路電流絶対値を求めて、メモリに上書き記憶する（ＳＴ３７）。
【００７５】
こうして、コントローラ１１０は、回路電流絶対値がサブパルスオン規定値（PeakＭ）に下降するまで、ステップＳＴ３６及びＳＴ３７の処理を繰り返し実行する。回路電流絶対値がサブパルスオン規定値（PeakＭ）まで下降したならば（ＳＴ３８のＹＥＳ）、コントローラ１１０は、ステップＳＴ３９として入力電圧Ｖinの極性が正であるか負であるかを再度判定する。入力電圧Ｖinの極性が正である場合には（ＳＴ３９のＹＥＳ）、コントローラ１１０は、ステップＳＴ４０として第２のパルス信号Ｐ２（ＳＰ）をオンする。入力電圧Ｖinの極性が負である場合には（ＳＴ３９のＮＯ）、コントローラ１１０は、ステップＳＴ４１として第１のパルス信号Ｐ１（ＳＰ）をオンする（パルス信号出力手段）。
【００７６】
サブパルス信号ＳＰとしての第１のパルス信号Ｐ１（ＳＰ）または第２のパルス信号Ｐ２（ＳＰ）がオンすると、コントローラ１１０は、ステップＳＴ４２として第１のタイマＴ１が前記ｄｔ１時間を計時するのを待機する。第１のタイマＴ１がｄｔ１時間を計時すると（ＳＴ４２のＹＥＳ）、コントローラ１１０は、ステップＳＴ４３として入力電圧Ｖinの極性を再度判定する。そして、入力電圧Ｖinの極性が正である場合（ＳＴ４３のＹＥＳ）、コントローラ１１０は、ステップＳＴ４４として前記第２のパルス信号Ｐ２（ＳＰ）をオフする。これに対し、入力電圧Ｖinの極性が負である場合（ＳＴ４３のＮＯ）、コントローラ１１０は、ステップＳＴ４５として前記第１のパルス信号Ｐ１（ＳＰ）をオフする。
【００７７】
サブパルス信号ＳＰとしての第１のパルス信号Ｐ１（ＳＰ）または第２のパルス信号Ｐ２（ＳＰ）がオフすると、次の１周期に移行するべく、コントローラ１１０は、この制御手順の最初の処理ステップＳＴ２１に戻る。すなわち、現時点における出力電圧補正値の低周波積分値から第１及び第２の帰還係数Ｋ１，Ｋ２を決定する。以後、負荷１０４への電力供給が終了するまで、コントローラ１１０は、ステップＳＴ２１〜ＳＴ４５の各処理手順を繰り返す。
【００７８】
かかる構成の電力変換装置２００においては、入力電圧Ｖinの極性が正のときには、コントローラ１１０から第１の半導体スイッチＱ１に対しての第１のパルス信号Ｐ１がメインパルス信号ＭＰとして供給される。第１のパルス信号Ｐ１（ＭＰ）は、回路電流Ｉが最大電流規定値（PeakＨ）まで上昇するとオフし、次のクロック信号ＣＬＫが発生するとオンする。すなわち、クロック信号ＣＬＫが発生してから回路電流Ｉが最大電流規定値（PeakＨ）に達するまで、第１のパルス信号Ｐ１（ＭＰ）はオンする。そして、最大電流規定値（PeakＨ）に達してから次のクロック信号が発生するまで、第１のパルス信号Ｐ１（ＭＰ）はオフする。
【００７９】
また、入力電圧Ｖinの極性が正のときでかつ第１のパルス信号Ｐ１（ＭＰ）がオフのとき、コントローラ１１０から第２の半導体スイッチＱ２に対して第２のパルス信号Ｐ２がサブパルス信号ＳＰとして供給される。第２のパルス信号Ｐ２（ＳＰ）は、回路電流Ｉがサブパルスオン規定値（PeakＭ）まで下降するとオンし、直前のクロック信号ＣＬＫから前記ｄｔ１時間が経過するとオフする。
【００８０】
図９は、入力電圧Ｖinの極性が正のときの回路電流Ｉと、クロック信号ＣＬＫと、第１のパルス信号Ｐ１（ＭＰ）と、第２のパルス信号Ｐ２（ＳＰ）と、第１の半導体スイッチＱ１を流れる電流と、第２の外付けダイオードＤ２を流れる電流と、第２の半導体スイッチＱ２を流れる電流とを示している。なお、電力変換装置２００は、その一態様として、交流電源１０１の周波数を５０Ｈｚとし、第１及び第２の半導体スイッチＱ１，Ｑ２のスイチッング周波数を１００ｋＨｚとする。ただし、図で１００ｋＨｚの動作を表現しようとすると細かくなりすぎるので、便宜上、非常に粗い周期で記載している。
【００８１】
図９に示すように、回路電流Ｉに対する最大電流規定値（PeakＨ）のエンベロープ曲線Ｐｅは、入力電圧Ｖｉｎの波形と相似形の正弦波状になる。そして、メインパルス信号ＭＰとしての第１のパルス信号Ｐ１（ＭＰ）は、クロック信号ＣＬＫに同期してオンすると（時点Ｔ４１，Ｔ４５，Ｔ４９，Ｔ５３，Ｔ５７，Ｔ６１，Ｔ６５，Ｔ６９を参照）、回路電流Ｉが最大電流規定値（PeakＨ）に達するまで、第１のパルス信号Ｐ１（ＭＰ）はオン状態を維持する。
【００８２】
回路電流Ｉが最大電流規定値（PeakＨ）に達すると（時点Ｔ４２，Ｔ４６，Ｔ５０，Ｔ５４，Ｔ５８，Ｔ６２，Ｔ６６を参照）、第１のパルス信号Ｐ１（ＭＰ）はオフする。その後、次のクロック信号ＣＬＫが入力されると（時点Ｔ４５，Ｔ４９，Ｔ５３，Ｔ５７，Ｔ６１，Ｔ６５，Ｔ６９を参照）、第１のパルス信号Ｐ１（ＭＰ）は、再びオンする。以後、入力電圧Ｖinの極性が負となるまで、第１のパルス信号Ｐ１（ＭＰ）は、上述したオン・オフの動作を繰り返す。
【００８３】
一方、第２のパルス信号Ｐ２（ＳＰ）は、回路電流Ｉが最大電流規定値（PeakＨ）に達するまではオフしている。そして、回路電流Ｉが最大電流規定値（PeakＨ）に達した後、サブパルスオン規定値（PeakＭ）まで下降すると（時点Ｔ４３，Ｔ４７，Ｔ５１，Ｔ５５，Ｔ５９，Ｔ６３，Ｔ６７を参照）、サブパルス信号ＳＰとしての第２のパルス信号Ｐ２（ＳＰ）がオンする。そして、直前のクロック信号ＣＬＫから前記ｄｔ１時間が経過すると（時点Ｔ４４，Ｔ４８，Ｔ５２，Ｔ５６，Ｔ６０，Ｔ６４，Ｔ６８を参照）、第２のパルス信号Ｐ２（ＳＰ）はオフする。以後、入力電圧Ｖinの極性が負となるまで、第２のパルス信号Ｐ２（ＳＰ）は、上述したオン・オフの動作を繰り返す。
【００８４】
第１のパルス信号Ｐ１（ＭＰ）がオンすると、第１の半導体スイッチＱ１が導通する。第１の半導体スイッチＱ１が導通すると、交流電源１０１、インダクタＬ１、キャパシタＣ１及び第１の半導体スイッチＱ１の閉回路が形成される。その結果、インダクタＬ１の線形リアクトル作用により、右上がりの直線的な電流が、キャパシタＣ１側から第１の半導体スイッチＱ１に流れる（区間Ｔ４１−Ｔ４２、Ｔ４５−Ｔ４６、Ｔ４９−Ｔ５０、Ｔ５３−Ｔ５４、Ｔ５７−Ｔ５８、Ｔ６１−Ｔ６２、Ｔ６５−Ｔ６６を参照）。
【００８５】
第１のパルス信号Ｐ１（ＭＰ）がオフすると、第１の半導体スイッチＱ１が非導通になる。第１の半導体スイッチＱ１が非導通になると、第１の半導体スイッチＱ１を流れる電流はゼロとなる。このとき、インダクタＬ１は、リアクトルエネルギーにより引き続き電流を同方向に流し続けるようとする。このため、第２の半導体スイッチＱ２に並列接続された第２の外付けダイオードＤ２を経由して平滑コンデンサＣ２に電流が流れ込む（区間Ｔ４２−Ｔ４３、Ｔ４６−Ｔ４７、Ｔ５０−Ｔ５１、Ｔ５４−Ｔ５５、Ｔ５８−Ｔ５９、Ｔ６２−Ｔ６３、Ｔ６６−Ｔ６７を参照）。
【００８６】
第１のパルス信号Ｐ１（ＭＰ）がオン，オフをする毎に、電力変換装置２００は上述した動作を繰り返す。その結果、電力変換装置２００は、出力端子１０２，１０３間の出力電圧Ｖoutを昇圧しながら、平滑コンデンサＣ２を充電する。
【００８７】
ここで、第１のパルス信号Ｐ１（ＭＰ）がオフし、回路電流Ｉがサブパルスオン規定値（PeakＭ）まで下降すると、第２のパルス信号Ｐ２（ＳＰ）がオンする。第２のパルス信号Ｐ２（ＳＰ）は、直前のクロック信号ＣＬＫから前記ｄｔ１時間が経過するまでオンしており、ｄｔ１時間が経過するとオフする。
【００８８】
第２のパルス信号Ｐ２（ＳＰ）がオンすると、第２の半導体スイッチＱ２が導通する。第２の半導体スイッチＱ２が導通すると、第２の外付けダイオードＤ２を経由して平滑コンデンサＣ２に流れ込んでいた電流が、第２の半導体スイッチＱ２を経由して平滑コンデンサＣ２に流れ込むようになる（区間Ｔ４３−Ｔ４４、Ｔ４７−Ｔ４８、Ｔ５１−Ｔ５２、Ｔ５５−Ｔ５６、Ｔ５９−Ｔ６０、Ｔ６３−Ｔ６４、Ｔ６７−Ｔ６８を参照）。
【００８９】
ｄｔ１時間が経過して、第２のパルス信号Ｐ２（ＳＰ）がオフすると、第２の半導体スイッチＱ２が非導通となる。第２の半導体スイッチＱ２が非導通となると、第２の半導体スイッチＱ２を経由して平滑コンデンサＣ２に流れ込んでいた電流が、再び第２の外付けダイオードＤ２を経由して平滑コンデンサＣ２に流れ込む（区間Ｔ４４−Ｔ４５、Ｔ４８−Ｔ４９、Ｔ５２−Ｔ５３、Ｔ５６−Ｔ５７、Ｔ６０−Ｔ６１、Ｔ６４−Ｔ６５、Ｔ６８−Ｔ６９を参照）。
【００９０】
第２のパルス信号Ｐ２（ＳＰ）がオン，オフをする毎に、電力変換装置２００は上述した動作を繰り返す。その結果、平滑コンデンサＣ２に流れ込む電流Ｉは、第１の半導体スイッチＱ１がオフした直後と、第１の半導体スイッチＱ１がオンする直前は、第２の外付けダイオードＤ２を経由して流れ、それ以外は、第２の半導体スイッチＱ２を経由して流れる。
【００９１】
一方、入力電圧Ｖinの極性が負のときには、コントローラ１１０から第２の半導体スイッチＱ２に対して第２のパルス信号Ｐ２（ＭＰ）が供給される。第２のパルス信号Ｐ２（ＭＰ）は、回路電流Ｉが最大電流規定値（PeakＨ）に達するまでオンし、最大電流規定値（PeakＨ）に達するとオフする。そして、その後、次のクロック信号ＣＬＫが入力されると、第２のパルス信号Ｐ２（ＭＰ）は、再びオンする。
【００９２】
また、入力電圧Ｖinの極性が負のときでかつ第２のパルス信号Ｐ２（ＭＰ）がオフのとき、コントローラ１１０から第１の半導体スイッチＱ１に対して第１のパルス信号Ｐ１（ＳＰ）が供給される。第１のパルス信号Ｐ１（ＳＰ）は、回路電流Ｉがサブパルスオン規定値（PeakＭ）まで下降するとオンし、直前のクロック信号ＣＬＫから前記ｄｔ１時間が経過するとオフする。
【００９３】
以後、入力電圧Ｖinの極性が正となるまで、第１のパルス信号Ｐ１（ＳＰ）と第２のパルス信号Ｐ２（ＭＰ）は、上述したオン・オフの動作を繰り返す。
【００９４】
第２のパルス信号Ｐ２（ＭＰ）がオンすると、第２の半導体スイッチＱ２が導通する。第２の半導体スイッチＱ２が導通すると、交流電源１０１、インダクタＬ１、キャパシタＣ１、第２の半導体スイッチＱ２及び平滑コンデンサＣ２の閉回路が形成される。このとき、平滑コンデンサＣ２の電圧は、交流電圧Ｖａより高い。その結果、平滑コンデンサＣ２の充電電圧が第２の半導体スイッチＱ２及びインダクタＬ１を経由して交流電源１０１側に戻るように、電力変換装置１００は動作する。このため、右上がりの直線的な電流が、平滑コンデンサＣ２側から第２の半導体スイッチＱ２に流れる。
【００９５】
第２のパルス信号Ｐ２（ＭＰ）がオフすると、第２の半導体スイッチＱ２が非導通になる。第２の半導体スイッチＱ２が非導通になると、第２の半導体スイッチＱ２を流れる電流はゼロとなる。このとき、インダクタＬ１は、リアクトルエネルギーにより引き続き電流を同方向に流し続けようとする。このため、第１の半導体スイッチＱ１に並列接続された第１の外付けダイオードＤ１を経由してキャパシタＣ１に電流が流れ込む。
【００９６】
第２のパルス信号Ｐ２（ＭＰ）がオン，オフをする毎に、電力変換装置２００は上述した動作を繰り返す。その結果、電力変換装置２００は、キャパシタＣ１に電荷を補充する。
【００９７】
ここで、第２のパルス信号Ｐ２（ＭＰ）がオフし、回路電流Ｉがサブパルスオン規定値（PeakＭ）まで下降すると、第１のパルス信号Ｐ１（ＳＰ）がオンする。第１のパルス信号Ｐ１（ＳＰ）は、直前のクロック信号ＣＬＫから前記ｄｔ１時間が経過するまでオンしており、ｄｔ１時間が経過するとオフする。
【００９８】
第１のパルス信号Ｐ１（ＳＰ）がオンすると、第１の半導体スイッチＱ１が導通する。第１の半導体スイッチＱ１が導通すると、第１の外付けダイオードＤ１を経由してキャパシタＣ１に流れ込んでいた電流が、第１の半導体スイッチＱ１を経由してキャパシタＣ１に流れ込むようになる。
【００９９】
直前のクロック信号ＣＬＫからｄｔ１時間が経過して、第１のパルス信号Ｐ１（ＳＰ）がオフすると、第１の半導体スイッチＱ１が非導通となる。第１の半導体スイッチＱ１が非導通となると、第１の半導体スイッチＱ１を経由してキャパシタＣ１に流れ込んでいた電流が、再び第１の外付けダイオードＤ１を経由してキャパシタＣ１に流れ込む。
【０１００】
第１のパルス信号Ｐ１（ＳＰ）がオン，オフをする毎に、電力変換装置２００は上述した動作を繰り返す。その結果、キャパシタＣ１に流れ込む電流Ｉは、第２の半導体スイッチＱ２がオフした直後と、第２の半導体スイッチＱ２がオンする直前は、第１の外付けダイオードＤ１を経由して流れ、それ以外は、第１の半導体スイッチＱ１を経由して流れる。
【０１０１】
交流電圧Ｖａの極性は、正と負を交互に繰り返す。したがって、電力変換装置２００は、平滑コンデンサＣ２を充電する作用とキャパシタＣ１に電荷を補充する作用とを交互に繰り返す。すなわち電力変換装置２００は、キャパシタＣ１に電荷を補充した後に平滑コンデンサＣ２を充電する。したがって、平滑コンデンサＣ２を充電する際にはキャパシタＣ１に蓄えられた電荷が平滑コンデンサＣ２に移動する。このため、電力変換装置２００の昇圧効果が加算される。よって、第１の実施形態と同様の作用効果を奏することができる。
【０１０２】
それに加えて、第２の実施形態の電力変換装置２００では、第１の半導体スイッチＱ１がオフした時点より第２の外付けダイオードＤ２に流れていた電流が、微小な遅延時間が経過すると第２の半導体スイッチＱ２に流れる。そして、第１の半導体スイッチＱ１がオンする直前で、再び、第２の外付けダイオードＤ２に流れる。同様に、第２の半導体スイッチＱ２がオフしたことにより第１の外付けダイオードＤ１に流れていた電流が、第２の半導体スイッチＱ２がオフした時点から微小な遅延時間経過後に第１の半導体スイッチＱ１に流れる。そして、第２の半導体スイッチＱ２がオンする直前で、再び、第１の外付けダイオードＤ１に流れる。
【０１０３】
第１の半導体スイッチＱ１と第２の半導体スイッチＱ２は、外付けダイオードＤ１，Ｄ２と比べてオン抵抗が非常に小さい。したがって、電力変換装置２００は、第１の実施形態の電力変換装置１００と比較して、より一層の電力変換効率を高めることができる。
【０１０４】
なお、第１の半導体スイッチＱ１がオン，オフするタイミングと第２の半導体スイッチＱ２がオフ，オンするタイミングとを一致させると、電力変換効率はより一層高まる。しかし、半導体スイッチＱ１，Ｑ２は、特性のばらつきにより、同時にオンする可能性がある。第１の半導体スイッチＱ１と第２の半導体スイッチＱ２とが同時にオンすると、貫通電流が流れて回路がショートする。
【０１０５】
このような不具合を防止するために、電力変換装置２００は、第１の半導体スイッチＱ１がオフしたときには微小な遅延時間を空けて第２の半導体スイッチＱ２がオンするようにしている。逆に、第２の半導体スイッチＱ２がオフしたときには微小な遅延時間を空けて第１の半導体スイッチＱ１がオンするようにしている。したがって、第１の半導体スイッチＱ１と第２の半導体スイッチＱ２とが同時にオンする区間が発生することはないので、回路がショートするような不具合は起こりえない。
【０１０６】
［第３の実施形態］
次に、第３の実施形態を、図１０〜図１１を用いて説明する。なお、第３の実施形態における電力変換装置３００の回路構成は、第１の実施形態と同様なので図１を代用し、共通部分には同一符号を付してその詳しい説明を省略する。
【０１０７】
第３の実施形態は、サブパルス信号ＳＰの生成方法が第２の実施形態と異なる。第３の実施形態におけるサブパルス信号ＳＰの生成方法を、図１０を用いて説明する。図１０は、入力電圧Ｖinの極性が正のときの最大電流規定値（PeakＨ）のエンベロープ曲線Ｐｅと、回路電流Ｉと、クロック信号ＣＬＫと、メインパルス信号としての第１のパルス信号Ｐ１（ＭＰ）と、サブパルス信号としての第２のパルス信号Ｐ２（ＳＰ）とのごく一部を示している。
【０１０８】
第１のパルス信号Ｐ１（ＭＰ）は、時点Ｔ３１に示すように、クロック信号ＣＬＫに同期してオンし、時点Ｔ３２に示すように、回路電流Ｉが最大電流規定値（PeakＨ）に達するとオフする。第２のパルス信号Ｐ２（ＳＰ）は、時点Ｔ３３に示すように、回路電流Ｉが最大電流規定値（PeakＨ）に達してから微小なｄｔ２時間経過するとオンし、時点Ｔ３４に示すように、直前のクロック信号ＣＬＫからｄｔ１時間を経過するとオフする。ｄｔ１時間は、クロック信号ＣＬＫの１周期よりも若干短い時間である。
【０１０９】
すなわち、サブパルス信号ＳＰは、回路電流Ｉが最大電流規定値（PeakＨ）に達してから微小なｄｔ２時間を経過するとオンし、直前のクロック信号ＣＬＫから該クロック信号ＣＬＫの１周期よりも若干短いｄｔ１時間を経過するとオフするように生成する。
【０１１０】
こうすることにより、第１のパルス信号Ｐ１（ＭＰ）の立下りと第２のパルス信号Ｐ２（ＳＰ）の立ち上がりとの間に、微小の遅延時間（Ｔ３２−Ｔ３３）が生成される。また、第２のパルス信号Ｐ２（ＳＰ）の立下りと第１のパルス信号Ｐ１（ＭＰ）の立ち上がりとの間に、微小の遅延時間（Ｔ３４−Ｔ３５）が生成される。したがって、第１のパルス信号Ｐ１（ＭＰ）と第２のパルス信号Ｐ２（ＳＰ）とが同時にオンすることはない。
【０１１１】
図１１は、コントローラ１１０の制御手順を示す流れ図である。図１１は、第２の実施形態で説明した図８に対応する。そして、第２の実施形態と共通する部分には同一符号を付している。また、第２の実施形態で説明した図７に示す処理ステップＳＴ２１〜ＳＴ３２は、第３の実施形態でも適用される。すなわち、負荷１０４への電力供給開始（パルス出力周期の開始）のタイミングになると、コントローラ１１０は、第２の実施形態で説明したステップＳＴ２１〜ＳＴ３２の処理を実行する。
【０１１２】
図１１と図８とを比較すれば明らかなように、電力変換装置３００のコントローラ１１０は、ステップＳＴ３４またはＳＴ３５のメインパルス信号としての第１のパルス信号Ｐ１（ＭＰ）または第２のパルス信号Ｐ２（ＭＰ）がオフした後の処理が、第２の実施形態と異なる。すなわち、第３の実施形態では、コントローラ１１０は、ステップＳＴ５１として内蔵の第２のタイマＴ２による計時動作をスタートさせる。そして、ステップＳＴ５２としてこの第２のタイマＴ２が前記ｄｔ２時間を計時するのを待機する。第２のタイマＴ２が前記ｄｔ２時間を計時すると（ＳＴ５２のＹＥＳ）、コントローラ１１０は、第２の実施形態で説明したステップＳＴ３９の処理に進む。すなわち、入力電圧Ｖinの極性が正であるか負であるかを判定し、入力電圧Ｖinの極性が正である場合には（ＳＴ３９のＹＥＳ）、コントローラ１１０は、ステップＳＴ４０として第２のパルス信号Ｐ２（ＳＰ）をオンする。入力電圧Ｖinの極性が負である場合には（ＳＴ３９のＮＯ）、コントローラ１１０は、ステップＳＴ４１として第１のパルス信号Ｐ１（ＳＰ）をオンする（パルス信号出力手段）。以後、第２の実施形態のステップＳＴ４２〜ＳＴ４５と同様な処理を実行して、第１のパルス信号Ｐ１（ＳＰ）または第２のパルス信号Ｐ２（ＳＰ）をオフする。
【０１１３】
こうして、サブパルス信号ＳＰとしての第１のパルス信号Ｐ１（ＳＰ）または第２のパルス信号Ｐ２（ＳＰ）がオフすると、次の１周期に移行するべく、コントローラ１１０は、この制御手順の最初の処理ステップＳＴ２１に戻る。
【０１１４】
かかる構成の電力変換装置３００においても、第２の実施形態の電力変換装置２００と同一の作用効果を奏し得る。
【０１１５】
［第４の実施形態］
次に、第４の実施形態を、図１２〜図１４を用いて説明する。なお、第４の実施形態における電力変換装置４００の回路構成は、第１の実施形態と同様なので図１を代用し、共通部分には同一符号を付してその詳しい説明を省略する。
【０１１６】
図１２は、電力変換装置４００において、入力電圧Ｖin及び回路電流Ｉと、第１及び第２のパルス信号Ｐ１，Ｐ２との関係を示す波形図である。図１２において、区間Ｔ１〜Ｔ２は、交流電圧Ｖａの極性が正の区間である。この区間のとき、コントローラ１１０は、交流電圧Ｖａの周期よりはるかに高い周波数で第１のパルス信号Ｐ１を生成する。本実施形態では、このときの第１のパルス信号Ｐ１を、第１の半導体スイッチＱ１に対するメインパルス信号ＭＰと称する。また、この区間内の区間Ｔ４〜Ｔ５に示すように、インダクタＬ１を流れる回路電流Ｉが所定の値ＳＨＬを超えるとき、コントローラ１１０は、第１のパルス信号Ｐ１がオフする毎に第２のパルス信号Ｐ２を生成する。本実施形態では、このときの第２のパルス信号Ｐ２を、第２の半導体スイッチＱ２に対するサブパルス信号ＳＰと称する。
【０１１７】
図１２において、区間Ｔ２〜Ｔ３は、交流電圧Ｖａの極性が負の区間である。この区間のとき、コントローラ１１０は、交流電圧Ｖａの周期よりはるかに高い周波数で第２のパルス信号Ｐ２を生成する。本実施形態では、このときの第２のパルス信号Ｐ２を、第２の半導体スイッチＱ２に対するメインパルス信号ＭＰと称する。また、この区間内の区間Ｔ６〜Ｔ７に示すように、インダクタＬ１を流れる回路電流Ｉが所定の値ＳＨＬを超えるとき、コントローラ１１０は、第２のパルス信号Ｐ２がオフする毎に第１のパルス信号Ｐ１を生成する。本実施形態では、このときの第１のパルス信号Ｐ１を、第１の半導体スイッチＱ１に対するサブパルス信号ＳＰと称する。
【０１１８】
すなわち、本実施形態においても、交流電圧Ｖａの極性が正のとき、第１の半導体スイッチＱ１が導通・非導通を繰り返す。交流電圧Ｖａの極性が負のとき、第２の半導体スイッチＱ２が導通・非導通を繰り返す。その結果、インダクタＬ１を流れる回路電流Ｉは、入力電圧Ｖinと相似形の正弦波となる。
【０１１９】
図１３は、コントローラ１１０における制御手順の要部を示す流れ図である。図１３は、第３の実施形態で説明した図１１に対応する。そして、第３の実施形態と共通する部分には同一符号を付している。また、第２の実施形態で説明した図７に示す処理ステップＳＴ２１〜ＳＴ３２は、第４の実施形態でも適用される。すなわち、負荷１０４への電力供給開始（パルス出力周期の開始）のタイミングになると、コントローラ１１０は、第２の実施形態で説明したステップＳＴ２１〜ＳＴ３２の処理を実行する。
【０１２０】
図１３と図１１とを比較すれば明らかなように、電力変換装置４００のコントローラ１１０は、ステップＳＴ５２の第２のタイマＴ２が前記ｄｔ２時間を計時した後の処理が、第３の実施形態と異なる。すなわち、第４の実施形態では、コントローラ１１０は、ステップＳＴ５３として、現時点の最大電流規定値（PeakＨ）が予め設定された任意のしきい値ＳＨＬを超えているか否かを判定する（判定手段）。
【０１２１】
最大電流規定値（PeakＨ）がしきい値ＳＨＬを超えていない場合（ＳＴ５３のＮＯ）、コントローラ１１０は、次の１周期に移行するべく、この制御手順の最初の処理ステップＳＴ２１に戻る。
【０１２２】
一方、最大電流規定値（PeakＨ）がしきい値ＳＨＬを超えている場合には（ＳＴ５３のＹＥＳ）、コントローラ１１０は、第２の実施形態で説明したステップＳＴ３９の処理に進む。すなわち、入力電圧Ｖinの極性が正であるか負であるかを判定し、入力電圧Ｖinの極性が正である場合には（ＳＴ３９のＹＥＳ）、コントローラ１１０は、ステップＳＴ４０として第２のパルス信号Ｐ２（ＳＰ）をオンする。入力電圧Ｖinの極性が負である場合には（ＳＴ３９のＮＯ）、コントローラ１１０は、ステップＳＴ４１として第１のパルス信号Ｐ１（ＳＰ）をオンする（パルス信号出力手段）。以後、第２の実施形態のステップＳＴ４２〜ＳＴ４５と同様な処理を実行して、第１のパルス信号Ｐ１（ＳＰ）または第２のパルス信号Ｐ２（ＳＰ）をオフする。
【０１２３】
こうして、サブパルス信号ＳＰとしての第１のパルス信号Ｐ１（ＳＰ）または第２のパルス信号Ｐ２（ＳＰ）がオフすると、次の１周期に移行するべく、コントローラ１１０は、この制御手順の最初の処理ステップＳＴ２１に戻る。
【０１２４】
かかる構成の電力変換装置４００においても、入力電圧Ｖinの極性が正のときには、第２または第３の実施形態と同様に、コントローラ１１０から第１の半導体スイッチＱ１に対してメインパルス信号ＭＰとしての第１のパルス信号Ｐ１（ＭＰ）が供給される。
【０１２５】
また、入力電圧Ｖinの極性が正のときでかつ第１のパルス信号Ｐ１（ＭＰ）がオフのとき、コントローラ１１０から第２の半導体スイッチＱ２に対してサブパルス信号ＳＰとしての第２のパルス信号Ｐ２（ＳＰ）が供給される点も第２または第３の実施形態と同様である。ただし、第４の実施形態においては、最大電流規定値（PeakＨ）が所定のしきい値ＳＨＬを超えたときだけ、第２の半導体スイッチＱ２に対してサブパルス信号ＳＰである第２のパルス信号Ｐ２（ＳＰ）が供給される。
【０１２６】
図１４は、入力電圧Ｖinの極性が正のときの入力電流Ｉと、クロック信号ＣＬＫと、第１のパルス信号Ｐ１（ＭＰ）と、第２のパルス信号Ｐ２（ＳＰ）と、第１の半導体スイッチＱ１を流れる電流と、第２の外付けダイオードＤ２を流れる電流と、第２の半導体スイッチＱ２を流れる電流とを示している。なお、電力変換装置４００は、その一態様として、交流電源１０１の周波数を５０Ｈｚとし、第１及び第２の半導体スイッチＱ１，Ｑ２のスイチッング周波数を１００ｋＨｚとする。ただし、図で１００ｋＨｚの動作を表現しようとすると細かくなりすぎるので、便宜上、非常に粗い周期で記載している。
【０１２７】
図１４に示すように、回路電流Ｉに対する最大電流規定値（PeakＨ）のエンベロープ曲線Ｐｅは、入力電圧Ｖｉｎの波形と相似形の正弦波状になる。そして、メインパルス信号ＭＰとしての第１のパルス信号Ｐ１（ＭＰ）は、クロック信号ＣＬＫに同期してオンすると（時点Ｔ７１，Ｔ７３，Ｔ７５，Ｔ７９，Ｔ８３，Ｔ８７，Ｔ９１，Ｔ９３を参照）、回路電流Ｉが最大電流規定値（PeakＨ）に達するまで、オン状態を維持する。
【０１２８】
回路電流Ｉが最大電流規定値（PeakＨ）に達すると（時点Ｔ７２，Ｔ７４，Ｔ７６，Ｔ８０，Ｔ８４，Ｔ８８，Ｔ９２を参照）、第１のパルス信号Ｐ１（ＭＰ）はオフする。その後、次のクロック信号ＣＬＫが入力されると（時点Ｔ７３，Ｔ７５，Ｔ７９，Ｔ８３，Ｔ８７，Ｔ９１，Ｔ９３を参照）、第１のパルス信号Ｐ１（ＭＰ）は、再びオンする。以後、入力電圧Ｖinの極性が負となるまで、メインパルス信号ＭＰとしての第１のパルス信号Ｐ１（ＭＰ）は、上述したオン・オフの動作を繰り返す。
【０１２９】
一方、第２のパルス信号Ｐ２（ＳＰ）は、回路電流Ｉの最大電流規定値（PeakＨ）がしきい値ＳＨＬを超えるまではオフしている。そして、最大電流規定値（PeakＨ）がしきい値ＳＨＬを超えた後、回路電流Ｉが最大電流規定値（PeakＨ）に達してから微小のｄｔ２時間を経過すると（時点Ｔ７７，Ｔ８１，Ｔ８５，Ｔ８９を参照）、第２のパルス信号Ｐ２は、サブパルス信号ＳＰとしてオンする。そして、直前のクロック信号ＣＬＫから所定のｄｔ１時間が経過すると（時点Ｔ７８，Ｔ８２，Ｔ８６，Ｔ９０を参照）、第２のパルス信号Ｐ２（ＳＰ）はオフする。以後、回路電流Ｉの最大電流規定値（PeakＨ）がしきい値ＳＨＬより低下するまで、サブパルス信号ＳＰとしての第２のパルス信号Ｐ２（ＳＰ）は、上述したオン・オフの動作を繰り返す。
【０１３０】
第１のパルス信号Ｐ１（ＭＰ）がオンすると、第１の半導体スイッチＱ１が導通する。第１の半導体スイッチＱ１が導通すると、交流電源１０１、インダクタＬ１、キャパシタＣ１及び第１の半導体スイッチＱ１の閉回路が形成される。その結果、インダクタＬ１の線形リアクトル作用により、右上がりの直線的な電流が、キャパシタＣ１側から第１の半導体スイッチＱ１に流れる（区間Ｔ７１−Ｔ７２、Ｔ７３−Ｔ７４、Ｔ７５−Ｔ７６、Ｔ７９−Ｔ８０、Ｔ８３−Ｔ８４、Ｔ８７−Ｔ８８、Ｔ９１−Ｔ９２を参照）。
【０１３１】
第１のパルス信号Ｐ１（ＭＰ）がオフすると、第１の半導体スイッチＱ１が非導通になる。第１の半導体スイッチＱ１が非導通になると、第１の半導体スイッチＱ１を流れる電流はゼロとなる。このとき、インダクタＬ１は、リアクトルエネルギーにより引き続き電流を同方向に流し続けるようとする。このため、第２の半導体スイッチＱ２に並列接続された第２の外付けダイオードＤ２を経由して平滑コンデンサＣ２に電流が流れ込む（区間Ｔ７２−Ｔ７３、Ｔ７４−Ｔ７５、Ｔ７６−Ｔ７９、Ｔ８０−Ｔ８３、Ｔ８４−Ｔ８７、Ｔ８８−Ｔ９１、Ｔ９２−Ｔ９３を参照）。
【０１３２】
第１のパルス信号Ｐ１（ＭＰ）がオン，オフをする毎に、電力変換装置１００は上述した動作を繰り返す。その結果、電力変換装置１００は、出力端子１０２，１０３間の出力電圧Ｖoutを昇圧しながら、平滑コンデンサＣ２を充電する。
【０１３３】
ここで、回路電流Ｉの最大電流規定値（PeakＨ）がしきい値ＳＨＬを超えたとき、第１のパルス信号Ｐ１がオフしてから微小なｄｔ２時間が経過すると、第２のパルス信号Ｐ２（ＳＰ）がオンする。第２のパルス信号Ｐ２（ＳＰ）は、直前のクロック信号ＣＬＫから所定のｄｔ１時間が経過するまでオンしており、ｄｔ１時間が経過するとオフする。
【０１３４】
第２のパルス信号Ｐ２（ＳＰ）がオンするまでは、第２の外付けダイオードＤ２を経由して平滑コンデンサＣ２に電流が流れ込む（区間Ｔ７６−Ｔ７７、Ｔ８０−Ｔ８１、Ｔ８４−Ｔ８５、Ｔ８８−Ｔ８９を参照）。第２のパルス信号Ｐ２（ＳＰ）がオンすると、第２の半導体スイッチＱ２が導通する。第２の半導体スイッチＱ２が導通すると、第２の外付けダイオードＤ２を経由して平滑コンデンサＣ２に流れ込んでいた電流が、第２の半導体スイッチＱ２を経由して平滑コンデンサＣ２に流れ込むようになる（区間Ｔ７７−Ｔ７８、Ｔ８１−Ｔ８２、Ｔ８５−Ｔ８６、Ｔ８９−Ｔ９０を参照）。
【０１３５】
直前のクロック信号ＣＬＫから所定のｄｔ１時間が経過して、第２のパルス信号Ｐ２（ＳＰ）がオフすると、第２の半導体スイッチＱ２が非導通となる。第２の半導体スイッチＱ２が非導通となると、第２の半導体スイッチＱ２を経由して平滑コンデンサＣ２に流れ込んでいた電流が、再び第２の外付けダイオードＤ２を経由して平滑コンデンサＣ２に流れ込む（区間Ｔ７８−Ｔ７９、Ｔ８２−Ｔ８３、Ｔ８６−Ｔ８７、Ｔ９０−Ｔ９１を参照）。
【０１３６】
第２のパルス信号Ｐ２（ＳＰ）がオン，オフをする毎に、電力変換装置４００は上述した動作を繰り返す。その結果、回路電流Ｉの最大電流規定値（PeakＨ）がしきい値ＳＨＬを超えたとき、平滑コンデンサＣ２に流れ込む電流Ｉは、第１の半導体スイッチＱ１がオフした直後と、第１の半導体スイッチＱ１がオンする直前は、第２の外付けダイオードＤ２を経由して流れ、それ以外は、第２の半導体スイッチＱ２を経由して流れる。
【０１３７】
このように、電力変換装置４００は、回路電流Ｉが多いときにサブパルス信号ＳＰを発生させて、外付けダイオードＤ１，Ｄ２を流れる電流を第１の半導体スイッチＱ１または第２の半導体スイッチＱ２でバイパスするようにしている。回路電流Ｉが少ないときには、第１の半導体スイッチＱ１または第２の半導体スイッチＱ２で電流をバイパスする効果は薄い上、半導体スイッチＱ１，Ｑ２を駆動するための電力が必要となる。そこで、第４の実施形態のように、回路電流Ｉが多いときにサブパルス信号ＳＰを発生させることで、電力変換装置４００は、第２または第３の実施形態の電力変換装置２００，３００よりも効率を高めることが可能となる。
【０１３８】
以下、前記各実施形態の変形例について説明する。  
例えば第４の実施形態では、回路電流Ｉが最大電流規定値（PeakＨ）に達した後、微小なｄｔ２時間が経過すると、サブパルス信号ＳＰとしての第１のパルス信号Ｐ１（ＳＰ）または第２のパルス信号（ＳＰ）をオンするようにした。この点については、第２の実施形態のように、最大電流規定値（PeakＨ）よりも若干低いサブパルスオン規定値（PeakＭ）を設定し、回路電流Ｉが最大電流規定値（PeakＨ）に達した後、サブパルスオン規定値（PeakＭ）まで低下すると、サブパルス信号ＳＰとしての第１のパルス信号Ｐ１（ＳＰ）または第２のパルス信号（ＳＰ）をオンするようにしてもよい。この場合、第２のタイマＴ２を省略できる。
【０１３９】
また、各実施形態では、交流電源として１００Ｖの商用電源（５０Ｈｚ／６０Ｈｚ）を入力電源としたが、交流電源は、１００Ｖの商用電源に限定されるものではない。例えば、２００〜２２０Ｖの商用電源（５０Ｈｚ／６０Ｈｚ）を入力電源とし、所望の直流電圧に変換して負荷へ電力を供給する電力変換装置であってもよい。
【０１４０】
図１５に、１００Ｖの交流電源と２００Ｖの交流電源を印加した場合の始動時の電圧変化を示す。１００Ｖの交流電源を印加した場合、平滑コンデンサＣ２にチャージアップされる電圧は、図１５中Ｅ１に示すように略２００Ｖとなる。これに対し、２００Ｖの交流電源を印加した場合に平滑コンデンサＣ２にチャージアップされる電圧は、図１５中Ｅ２に示すように略４００Ｖとなる。しかしいずれの場合においても、スイッチング動作を開始すると（時点ｔ０）、その出力電圧は、リファレンス電圧（この例では６００Ｖ）に等しくなるように制御がかかる。
【０１４１】
また、各実施形態では、図１に示す回路を基本構成としたが、基本構成の回路は図１のものに限定されるものではない。基本構成の他の回路例を、図１６及び図１７に示す。
【０１４２】
図１６は、第１の半導体スイッチＱ１に対して並列に接続されていた第１の外付けダイオードＤ１と、第２の半導体スイッチＱ２に対して並列に接続されていた第２の外付けダイオードＤ１とを省略した場合である。半導体スイッチＱ１，Ｑ２は、ボディダイオードを内蔵している。そこで、図１６の回路は、外付けダイオードＤ１，Ｄ２の代わりに、半導体スイッチＱ１，Ｑ２のボディダイオードを利用する。
【０１４３】
図１７は、第１のパルス信号Ｐ１及び第２のパルス信号Ｐ２でスイッチング動作する一対のスイッチとして、半導体スイッチＱ１，Ｑ２の代わりに、機械的スイッチＳ１，Ｓ２を使用した例である。なお、機械的スイッチＳ１，Ｓ２の代わりに、トライアックのようなボディダイオードを有しない半導体スイッチを適用することも可能である。
【０１４４】
また、例えば、交流電源１０１に接続されるインダクタＬ１とキャパシタＣ１とは直列接続である。そこで、交流電源１０１の一端にキャパシタＣ１の一端を接続し、キャパシタＣ１の他端にインダクタｌ１を介して半導体スイッチＱ１または機械的スイッチＳ１を接続することも可能である。
【０１４５】
また、回路電流Ｉを検出する位置は、各実施形態の位置に限定されるものではない。例えば、交流電源１０１の一端に電流検出部５０１，６０２を介してインダクタＬ１を接続し、交流電源１０１の他端にキャパシタＣ１を接続して、交流電源１０１とインダクタＬ１との間を流れる電流を回路電流Ｉとして検出してもよい。
【０１４６】
あるいは、インダクタＬ１に対して２次巻線Ｌ２を配置し、この２次巻線Ｌ２に発生する電圧から回路電流Ｉを検出してもよい。
【０１４７】
また、第１の半導体スイッチＱ１及び第２の半導体スイッチＱ２に対してそれぞれ低抵抗Ｒ１，Ｒ２を接続し、低抵抗Ｒ１，Ｒ２毎にその両端にピーク電流検出部８１，８２を接続する。そして、低抵抗Ｒ１，Ｒ２を流れる電流を電圧値に変換して、ピーク電流を検出してもよい。
【０１４８】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１４９】
１００，２００，３００，４００…電力変換装置、１０１…交流電源、１０４…負荷、１０５…入力電圧検出部、１０６…回路電流検出部、１０７…出力電圧検出部、１０８…オシレータ、１１０…コントローラ。
【図１】
0005504129.tif 000002
【図２】
0005504129.tif 000003
【図３】
0005504129.tif 000004
【図４】
0005504129.tif 000005
【図５】
0005504129.tif 000006
【図６】
0005504129.tif 000007
【図７】
0005504129.tif 000008
【図８】
0005504129.tif 000009
【図９】
0005504129.tif 000010
【図１０】
0005504129.tif 000011
【図１１】
0005504129.tif 000012
【図１２】
0005504129.tif 000013
【図１３】
0005504129.tif 000014
【図１４】
0005504129.tif 000015
【図１５】
0005504129.tif 000016
【図１６】
0005504129.tif 000017
【図１７】
0005504129.tif 000018